Podtech/llm-jp-corpus-v4-ja_patent huggingface dataset:
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
１以上の光学異性的に純粋な一般式１の化合物
2010501520.tif 000001
（式中、
R1及びR2 は互いに独立してH、ハロゲン又はC1-4-アルキルであり又は共にC1-6-アルキレンであり;及び
R3 はH、ハロゲン、OH、C1-4-アルキル又はO-C1-4-アルキル;である）
を含む吸入用粉末であって、前記化合物は任意に医薬的に許容可能な酸付加塩、それらの水和物又は溶媒和物の形態であり、任意に１以上の生理学的に許容可能な賦形剤との混合物である、前記吸入用粉末。
【請求項２】
１以上の光学異性的に純粋な一般式１の化合物
（式中、
R1及びR2は同じ又は異なって水素、フッ素、塩素、メチル、エチル、プロピル、ブチル 又は共に-CH2-CH2、-CH2-CH2-CH2、-CH2-CH2-CH2-CH2又は-CH2-CH2-CH2-CH2-CH2-であり;
R3は水素、フッ素、塩素、OH、メチル、エチル、メトキシ又はエトキシである）
であって、任意に医薬的に許容可能な酸付加塩、それらの水和物又は溶媒和物の形態であり、任意に１以上の生理学的に許容可能な賦形剤との混合物である前記化合物を含む請求項１記載の吸入用粉末。
【請求項３】
１以上の光学異性的に純粋な一般式１の化合物
(式中、
R1及びR2は同じ又は異なって、水素、メチル、エチル、プロピルであり、又は共に-CH2-CH2、-CH2-CH2-CH2、-CH2-CH2-CH2-CH2又は-CH2-CH2-CH2-CH2-CH2-であり;
R3は水素、フッ素、OH、メチル又はメトキシである）
であって、任意に医薬的に許容可能な酸付加塩、それらの水和物又は溶媒和物の形態であり、任意に１以上の生理学的に許容可能な賦形剤との混合物である前記化合物を含む請求項１又は２記載の吸入用粉末。
【請求項４】
１以上の光学異性的に純粋な一般式１の化合物
（式中、
R1及びR2は同じ又は異なって、エチル、プロピル又は共に-CH2-CH2、-CH2-CH2-CH2、-CH2-CH2-CH2-CH2又は-CH2-CH2-CH2-CH2-CH2-であり;
R3は水素、フッ素、OH、メチル又はメトキシである）
であって、任意に医薬的に許容可能な酸付加塩、それらの水和物又は溶媒和物の形態であり、任意に１以上の生理学的に許容可能な賦形剤との混合物である前記化合物を含む、請求項１、２又は３記載の吸入用粉末。
【請求項５】
１以上の光学異性的に純粋な一般式１の化合物
（式中
R1及びR2はエチル、プロピルであり又は共に-CH2-CH2、-CH2-CH2-CH2、-CH2-CH2-CH2-CH2又は-CH2-CH2-CH2-CH2-CH2-であり;
R3は水素、フッ素、OH又はメトキシである）
であって、任意に医薬的に許容可能な酸付加塩、それらの水和物又は溶媒和物の形態であり、任意に１以上の生理学的に許容可能な賦形剤との混合物である前記化合物を含む、請求項１、２又は３記載の吸入用粉末。
【請求項６】
１以上の光学異性的に純粋な一般式１の化合物であって、それらの遊離塩基の形態である前記化合物を含む、請求項１〜５いずれか１項記載の吸入用粉末
【請求項７】
１以上の光学異性的に純粋な一般式１の化合物であって、それらの医薬的に許容可能な酸付加塩の形態である前記化合物を含む、請求項１〜５いずれか１項記載の吸入用粉末。
【請求項８】
１以上の光学異性的に純粋な一般式１の化合物が、
一般式１-HX
2010501520.tif 000002
（式中
X-は単置換又は多置換された負に荷電したアニオンであり、
及び基R1、R2 及びR3 は上記定義の通りである）のそれらの酸付加塩の形態であり、
任意に互変異性体、互変異性体の混合物、それらの水和物又は溶媒和の形態であり、及び任意に１以上の生理学的に許容可能な賦形剤との混合物である、前記化合物を含む、請求項１〜５又は７いずれか１項記載の吸入用粉末。
【請求項９】
一般式１の化合物が、０.１μm〜１０μmの固有の粒径X50及び６０％より高いパラメーターQ(5.8)を有することを特徴とする、請求項１〜８いずれか１項記載の吸入用粉末。
【請求項１０】
一般式１の化合物を微粉末化し、続いてペンタン、ヘキサン、ヘプタン、シクロヘキサン、エタノール、メタノール、クロロホルム及び塩化メチレンから選択される有機溶媒を用いて順化することを特徴とする、請求項１〜９いずれか１項記載の吸入用粉末。
【請求項１１】
１以上の一般式１の化合物のみを含むことを特徴とする、請求項１〜１０いずれか１項記載の吸入用粉末。
【請求項１２】
１以上の一般式１の化合物に加えて、少なくとも１つの生理学的に許容可能な賦形剤を含み、前記化合物が任意にそれらの水和物又は無水和物の形態であることを特徴とする、請求項１〜１０いずれか１項記載の吸入用粉末。
【請求項１３】
生理学的に許容可能な賦形剤が、単糖類、二糖類、オリゴ糖類および多糖類、ポリラクチド/グリコリド、多価アルコール、アミノ酸、キトサン、ステアリン酸のアルカリ金属塩およびアルカリ土類金属塩、およびこれらの賦形剤同士の混合物から選択され、任意にそれらの水和物又は無水和物の形態であることを特徴とする、請求項１２記載の吸入用粉末。
【請求項１４】
生理学的に許容可能な賦形剤がグルコース、フルクトース、アラビノース、ラクトース、サッカロース、マルトース、トレハロース、マルトデキストリン、デンプン、セルロース、レゾマー、ソルビトール、マンニトール、キシリトール、塩酸アルギニン、ステアリン酸Mg、塩化ナトリウム、炭酸カルシウム及びこれらの賦形剤同士の混合物からなる群から選択され、任意にそれらの水和物又は無水和物の形態であることを特徴とする、請求項１３記載の吸入用粉末。
【請求項１５】
生理学的に許容可能な賦形剤がグルコース、フルクトース、アラビノース、ラクトース、サッカロース、マルトース、トレハロース、マルトデキストリン及びこれらの賦形剤同士の混合物からなる群から選択され、任意にそれらの水和物又は無水和物の形態であることを特徴とする、請求項１４記載の吸入用粉末。
【請求項１６】
式１の化合物と生理学的に許容可能な賦形剤の比が５:１００〜１:１０００００の範囲であることを特徴とする、請求項１〜１５いずれか１項記載の吸入用粉末。
【請求項１７】
生理学的に許容可能な賦形剤が約１７〜１２０μmの平均粒子径を有することを特徴とする、請求項１〜１５いずれか１項記載の吸入用粉末。
【請求項１８】
請求項１〜１７いずれか１項記載の吸入用粉末の呼吸器疾患の治療の為の医薬組成物の調製の為の使用。
【請求項１９】
請求項１〜１７いずれか１項記載の吸入用粉末を含むことを特徴とする、医薬製剤。
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2010501516.tif 000001
［式中、ＲはＣ1〜Ｃ6−アルキルである］
の少なくとも１の化合物を製造する方法において、
式（ＩＩ）
【化２】
2010501516.tif 000002
の化合物と、少なくとも１のチオラート（ＲＳ）nＭ
［式中、Ｒは式（Ｉ）における意味を有し、かつ
Ｍはアルカリ金属、アルカリ土類金属、Ｆｅ、および／またはＺｎであり、かつ
Ｍがアルカリ金属である場合は、ｎ＝１であり、
Ｍがアルカリ土類金属、および／またはＺｎである場合は、ｎ＝２であり、
ＭがＦｅである場合は、ｎ＝２および／または３である］
との反応を含むことを特徴とする、式（Ｉ）の少なくとも１の化合物を製造する方法。
【請求項２】
ＲがＣ1〜Ｃ4−アルキルである、請求項１に記載の方法。
【請求項３】
Ｒがメチルである、請求項２に記載の方法。
【請求項４】
ＭがＬｉ、Ｎａ、および／またはＫである、請求項１から３までのいずれか１項に記載の方法。
【請求項５】
ＭがＮａである、請求項１から４までのいずれか１項に記載の方法。
【請求項６】
式（ＩＩ）の化合物をエナンチオマー混合物、または純粋なエナンチオマーとして使用する、請求項１から５までのいずれか１項に記載の方法。
【請求項７】
式（ＩＩ）の化合物をラセミ混合物として使用する、請求項１から６までのいずれか１項に記載の方法。
【請求項８】
反応を非プロトン性の極性溶媒中で行う、請求項１から７までのいずれか１項に記載の方法。
【請求項９】
溶媒としてジメチルスルホキシド、Ｎ−メチルピロリドン、またはこれらの混合物を使用する、請求項８に記載の方法。
【請求項１０】
γ−ブチロラクトンを式（ＩＩ）の化合物に反応させる、先行する方法工程を含む、請求項１から９までのいずれか１項に記載の方法。
【請求項１１】
式（ＩＩ）の化合物を製造する方法において、γ−ブチロラクトンをまず式（ＩＶ）
【化３】
2010501516.tif 000003
［式中、Ｘはハロゲンである］
の化合物に反応させ、かつ式（ＩＶ）の化合物を後続の部分工程において式（ＩＩ）の化合物に反応させることを特徴とする、式（ＩＩ）の化合物を製造する方法。
【請求項１２】
ＸがＣｌである、請求項１１に記載の方法。
【請求項１３】
γ−ブチロラクトンの式（ＩＩ）の化合物への反応を、請求項１１または１２に記載の方法に従って行う、請求項１０に記載の方法。
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサン  酒石酸塩またはその医薬上許容される溶媒和物。
【請求項２】
（１Ｓ，５Ｒ）−１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサン  酒石酸塩またはその医薬上許容される溶媒和物。
【請求項３】
（１Ｓ，５Ｒ）−１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサン  （２Ｒ，３Ｒ）酒石酸塩またはその医薬上許容される溶媒和物。
【請求項４】
１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］−ヘキサンまたは（１Ｓ，５Ｒ）−１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサンの酒石酸に対するモル比率が１：１である、請求項１、請求項２または請求項３記載の化合物。
【請求項５】
（１Ｓ，５Ｒ）−１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサンの（２Ｒ，３Ｒ）酒石酸に対するモル比率が１：１である、請求項２−４のいずれか１項に記載の化合物。
【請求項６】
水和物である、請求項２−５のいずれか１項に記載の化合物。
【請求項７】
セスキ水和物である、請求項２−６のいずれか１項に記載の化合物。
【請求項８】
結晶形である、請求項２−７のいずれか１項に記載の化合物。
【請求項９】
（１Ｓ，５Ｒ）−１−［２−フルオロ−４−（トリフルオロメチル）フェニル］−３−（３−｛［４−メチル−５−（４−メチル−１，３−オキサゾール−５−イル）−４Ｈ−１，２，４−トリアゾール−３−イル］チオ｝プロピル）−３−アザビシクロ［３．１．０］ヘキサン  （２Ｒ，３Ｒ）酒石酸塩であり、セスキ水和物である、請求項２−７のいずれか１項に記載の結晶化合物。
【請求項１０】
ＤＳＣが１０Ｋ／分の走査速度で実行された、図３に実質上示される示差走査熱量測定法サーモグラムを有する請求項２−９のいずれか１項に記載の結晶化合物。
【請求項１１】
Ｔ＝約１２２℃で開始する示差走査熱量測定法サーモグラムを有する請求項２−１０のいずれか１項に記載の結晶化合物。
【請求項１２】
ＸＲＤパターンが、２θ角を単位として表され、銅Ｋα放射線を用いて回折計で得られた、図１に実質上示される示差走査熱量測定法サーモグラムを有するＸ線粉末回折スペクトルを有する請求項２−１１のいずれか１項に記載の結晶化合物。
【表１】
2010501519.tif 000001
【請求項１３】
２θ値で表される、以下のピーク：５．９＋／−０．１５、６．９＋／−０．１５、１０．２＋／−０．１５、１１．８＋／−０．１５、１１．９＋／−０．１５、１６．４＋／−０．１５、１７．６＋／−０．１５を含み、銅Ｋα放射線を用いて回折計で得たＸ線粉末回折スペクトルを有する請求項２−１２のいずれか１項に記載の結晶化合物。
【請求項１４】
スペクトルが、３９９．８７ＭＨｚのプロトン周波数、８ｋＨｚのスピン速度で作動する分光計で取得された、図７に関する実質上同一の炭素−１３固体核磁気共鳴（ＳＳＮＭＲ）スペクトルを有する請求項２−１３のいずれか１項に記載の結晶化合物。
【請求項１５】
ＳＳＮＭＲが、１８２．９、１７３．４、１５１．６、１３７．７、１３５．６、１２９．３、１１９．５、７４．６、５９．８、３２．９、３１．５、２５．７、２１．７、１３．９＋／−０．３ｐｐｍで共鳴を示す、スペクトルが、３９９．８７ＭＨｚのプロトン周波数、８ｋＨｚのスピン速度で作動する分光計で得られた、図７に関する実質上同一の炭素−１３固体核磁気共鳴（ＳＳＮＭＲ）スペクトルを有する請求項２−１４のいずれか１項に記載の結晶化合物。
【請求項１６】
ＳＳＮＭＲが１８２．９、１７３．４、１５１．６、５９．８、２５．７、２１．７、１３．９＋／−０．３ｐｐｍで共鳴を示す、３９９．８７ＭＨｚのプロトン周波数、８ｋＨｚのスピン速度で作動する分光計で得られた、図７に関する実質上同一の炭素−１３固体核磁気共鳴（ＳＳＮＭＲ）スペクトルを有する請求項２−１４のいずれか１項に記載の結晶化合物。
【請求項１７】
ドーパミンＤ３受容体の調節が有益である病態の治療方法であって、請求項１−１６のいずれか１項に記載の化合物の有効量を哺乳動物（例えば、ヒト）に投与することを含む、方法。
【請求項１８】
病態が物質関連障害である、請求項１７記載の方法。
【請求項１９】
ドーパミンＤ３受容体の調節が有益である哺乳動物における病態の治療のための医薬の製造における請求項１−１６のいずれか１項に記載に化合物の使用。
【請求項２０】
病態が物質関連障害である、請求項１９記載の使用。
【請求項２１】
療法における使用のための請求項１−１６のいずれか１項に記載の化合物。
【請求項２２】
ドーパミンＤ受容体が有益である哺乳動物における病態の治療における使用のための請求項１−１６のいずれか１項に記載の化合物。
【請求項２３】
物質関連障害の治療における使用のための請求項１−１６のいずれか１項に記載の化合物。
【請求項２４】
請求項１−１６のいずれか１項に記載の化合物および医薬上許容される担体を含む医薬組成物。
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
HVR1可変領域、HVR2可変領域およびigVR可変領域を包含するHCV-E2受容体結合ドメインを含む改変C型肝炎ウイルス(HCV)E2糖タンパク質であって、前記可変領域の少なくとも１つにおいて該可変領域の少なくとも一部が可動性リンカー配列で置き換えられている前記改変HCV E2糖タンパク質。
【請求項２】
２つの可変領域において該可変領域の少なくとも一部が可動性リンカー配列で置き換えられている、請求項１記載の改変HCV E2糖タンパク質。
【請求項３】
２つの可変領域がHVR1可変領域とHVR2可変領域である、請求項２記載の改変HCV E2糖タンパク質。
【請求項４】
２つの可変領域がHVR1可変領域とigVR可変領域である、請求項２記載の改変HCV E2糖タンパク質。
【請求項５】
２つの可変領域がHVR2可変領域とigVR可変領域である、請求項２記載の改変HCV E2糖タンパク質。
【請求項６】
３つの可変領域全てにおいて該可変領域の少なくとも一部が可動性リンカー配列で置き換えられている、請求項１記載の改変HCV E2糖タンパク質。
【請求項７】
HVR2可変領域とigVR可変領域の少なくとも１つにおいて該可変領域の少なくとも一部が可動性リンカー配列で置き換えられている、請求項１記載の改変HCV E2糖タンパク質。
【請求項８】
HVR2可変領域とigVR可変領域の両方において該可変領域の少なくとも一部が可動性リンカー配列で置き換えられている、請求項７記載の改変HCV E2糖タンパク質。
【請求項９】
HVR2可変領域において該可変領域の少なくとも一部が可動性リンカー配列で置き換えられている、請求項７記載の改変HCV E2糖タンパク質。
【請求項１０】
igVR可変領域において該可変領域の少なくとも一部が可動性リンカー配列で置き換えられている、請求項７記載の改変HCV E2糖タンパク質。
【請求項１１】
HVR1可変領域の少なくとも一部が可動性リンカー配列で置き換えられている、請求項７〜１０のいずれか１項記載の改変HCV E2糖タンパク質。
【請求項１２】
HVR1可変領域、HVR2可変領域およびigVR可変領域を包含するHCV-E2受容体結合ドメインを含む改変C型肝炎(HCV)E2糖タンパク質であって、前記HVR2可変領域の少なくとも一部が可動性リンカー配列で置き換えられている前記改変HCV E2糖タンパク質。
【請求項１３】
HVR1可変領域とigVR可変領域の少なくとも１つにおいて該可変領域の少なくとも一部が可動性リンカー配列で置き換えられている、請求項１２記載の改変HCV E2糖タンパク質。
【請求項１４】
HVR1可変領域、HVR2可変領域およびigVR可変領域を包含するHCV-E2受容体結合ドメインを含む改変C型肝炎(HCV)E2糖タンパク質であって、前記igVR可変領域の少なくとも一部が可動性リンカー配列で置き換えられている前記改変HCV E2糖タンパク質。
【請求項１５】
HVR1可変領域とHVR2可変領域の少なくとも１つにおいて該可変領域の少なくとも一部が可動性リンカー配列で置き換えられている、請求項１４記載の改変HCV E2糖タンパク質。
【請求項１６】
可動性リンカー配列または各々の可動性リンカー配列は、改変HCV E2糖タンパク質がHCV受容体CD81と結合するのを可能にする、請求項１〜１５のいずれか１項記載の改変HCV E2糖タンパク質。
【請求項１７】
可動性リンカー配列のまたは各々の可動性リンカー配列が、20以下のアミノ酸残基のペプチド配列を含み、且つGly、Ser、Ala、ThrおよびArgからなる群より選択される残基を含む、請求項１６記載の改変HCV E2糖タンパク質。
【請求項１８】
可動性リンカー配列または各々の可動性リンカー配列がGly-Ser-Ser-Gly(GSSG)配列を含む、請求項１７記載の改変HCV E2糖タンパク質。
【請求項１９】
HVR1可変領域の配列が、リンカー配列を含むように改変されている場合に、Glu-Thr-His-Gly-Ser-Ser-Gly(ETHGSSG)配列を含む、請求項１７記載の改変HCV E2糖タンパク質。
【請求項２０】
医薬として許容される担体または賦形剤と共に請求項１〜１９のいずれか１項記載の改変HCV E2糖タンパク質を含む組成物。
【請求項２１】
さらにアジュバントを含む、請求項２０記載の組成物。
【請求項２２】
請求項１〜１９のいずれか１項記載の改変HCV E2糖タンパク質を含む、患者に免疫応答を誘導するための薬剤。
【請求項２３】
請求項１〜１９のいずれか１項記載の改変HCV E2糖タンパク質を含む、患者のHCV感染の予防的処置または治療的処置のための薬剤。
【請求項２４】
請求項１〜１９のいずれか１項記載の改変HCV E2糖タンパク質に対する単離抗体。
【請求項２５】
ポリクローナル抗体である、請求項２４記載の単離抗体。
【請求項２６】
モノクローナル抗体である、請求項２４記載の単離抗体。
【請求項２７】
請求項２４〜２６のいずれか１項記載の抗体を含む、患者のHCV感染の予防的処置または治療的処置のための薬剤。
【請求項２８】
抗体-抗原複合体の形成を可能にする条件下で患者由来の生物学的サンプルを請求項２４〜２６のいずれか１項記載の抗体と接触させることと抗体-抗原複合体を検出することとを含み、前記抗体-抗原複合体の形成が前記生物学的サンプルにおけるHCVの存在を示す、患者のHCV感染を検出する方法。
【請求項２９】
抗体が検出可能に標識されている、請求項２８記載の方法。
【請求項３０】
生物学的サンプルが患者由来の血液のような体液のサンプルである、請求項２８記載の方法。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
ヒトまたは動物被検体の免疫応答を誘発または誘導するための、抗原およびアジュバントを含む肺内経路投与用の組成物。
【請求項２】
エアロゾルまたは乾燥粉末フォームである請求項１に記載の組成物。
【請求項３】
サポニンベースアジュバント、リポソーム、水中油型アジュバント、アルミニウム塩アジュバント、リポポリサッカライドアジュバント、オリゴヌクレオチドアジュバントおよび粘膜アジュバントからなる群から選ばれる少なくとも１つのアジュバントを含む請求項１に記載の組成物。
【請求項４】
免疫刺激複合体を含む請求項３に記載の組成物。
【請求項５】
ほかの免疫刺激アジュバントと組み合わされた免疫刺激複合体を含む請求項３に記載の組成物。
【請求項６】
抗原が、粘膜病原体又は他の病原体に対する免疫応答を誘発または誘導する抗原である請求項１に記載の組成物。
【請求項７】
抗原が、腫瘍特異的、または腫瘍関連抗原である請求項１に記載の組成物。
【請求項８】
被検体に免疫応答を誘発または誘導するためのヒトまたは動物被検体への肺内投与における抗原およびアジュバントを含む組成物の使用、または、
被検体に免疫応答を誘発または誘導するためのヒトまたは動物被検体に肺内投与用の医薬製造のための抗原およびアジュバントを含む組成物の使用。
【請求項９】
肺内経路によってヒトまたは動物被検体の免疫応答を誘発または誘導するための医薬品であって、
抗原とアジュバントとを含む組成物である医薬品。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
非感染性の病状の予防および／または処置のための医薬の製造のための抗体含有乳生成物または卵生成物の使用であって、該病状は、癌、非癌性状態、または過剰増殖性状態からなる群から選択され、前記乳生成物または卵生成物は、哺乳動物または鳥にワクチン接種することにより調製される、使用。
【請求項２】
哺乳動物または鳥は、癌、非癌性状態、または過剰増殖性状態からなる群から選択される病状の哺乳動物の細胞の表面からの分子でワクチン接種される、請求項１に記載の抗体含有乳生成物または卵生成物の使用。
【請求項３】
哺乳動物または鳥は、哺乳動物の細胞の表面からの分子でワクチン接種され、前記分子は、ＥｐｈＢ１、ＥｐｈＢ２、ＥｐｈＢ４、ＥｆｎＡ１およびＥｆｎＢ２からなる群より選択される、請求項１または２に記載の抗体含有乳生成物または卵生成物の使用。
【請求項４】
該分子は、ＰＶＡＧＳＣＶＶＤＡＶＰＡＰＧＰＳＰＳＬＹ（配列番号：４）の免疫原性のペプチドを有するＥｐｈＢ４である、請求項１から３のいずれか１項に記載の抗体含有乳生成物または卵生成物の使用。
【請求項５】
癌が、皮膚癌、目の癌、膀胱癌、膣または頚部の癌、口腔咽頭癌、鼻咽頭癌および胃腸の癌からなる群より選択され、非癌性状態が、バレット食道、結腸直腸ポリープおよび結腸直腸ポリープ切除術後からなる群より選択され、過剰増殖性状態が乾癬である、請求項１から４のいずれか１項に記載の使用。
【請求項６】
癌、非癌性状態、または過剰増殖性状態からなる群から選択される非感染性の病状の予防および／または処置のための医薬組成物であって、前記医薬組成物は抗体含有乳生成物または卵生成物を含み、前記乳生成物または卵生成物は、哺乳動物または鳥にワクチン接種することにより調製される、医薬組成物。
【請求項７】
前記哺乳動物または鳥は、癌、非癌性状態、または過剰増殖性状態からなる群から選択される病状の哺乳動物の細胞の表面からの分子でワクチン接種される、請求項６に記載の医薬組成物。
【請求項８】
哺乳動物または鳥は、哺乳動物の細胞の表面からの分子でワクチン接種され、前記分子は、ＥｐｈＢ１、ＥｐｈＢ２、ＥｐｈＢ４、ＥｆｎＡ１およびＥｆｎＢ２からなる群より選択される、請求項６または７に記載の医薬組成物。
【請求項９】
該分子は、ＰＶＡＧＳＣＶＶＤＡＶＰＡＰＧＰＳＰＳＬＹ（配列番号：４）の免疫原性のペプチドを有するＥｐｈＢ４である、請求項６から８のいずれか１項に記載の医薬組成物。
【請求項１０】
癌が、皮膚癌、目の癌、膀胱癌、膣または頚部の癌、口腔咽頭癌、鼻咽頭癌および胃腸の癌からなる群より選択され、非癌性状態が、バレット食道、結腸直腸ポリープおよび結腸直腸ポリープ切除術後からなる群より選択され、過剰増殖性状態が乾癬である、請求項６から９のいずれか１項に記載の医薬組成物。
【請求項１１】
直接、患者の胃腸管内に導入される、請求項６から９のいずれか１項に記載の医薬組成物。
【請求項１２】
経口投与または経直腸投与される、請求項６から９のいずれか１項に記載の医薬組成物。
【請求項１３】
癌に局所的に適用される、請求項６から９のいずれか１項に記載の医薬組成物。
【請求項１４】
患者の食道の状態の処置および／または予防のための請求項６から９のいずれか１項に記載の医薬組成物であって、前記医薬組成物は抗ＥｐｈＢ４抗体を含む、医薬組成物。
【請求項１５】
食道の状態が、バレット食道および食道癌からなる群より選択される、請求項１４に記載の医薬組成物。
【請求項１６】
抗ＥｐｈＢ４抗体は、配列ＰＶＡＧＳＣＶＶＤＡＶＰＡＰＧＰＳＰＳＬＹ（配列番号：４）を有するペプチドに対して生成されたものである、請求項１４に記載の医薬組成物。
【請求項１７】
食道の状態の非全身性処置および／または予防のための医薬の調製における抗ＥｐｈＢ４抗体の使用。
【請求項１８】
食道の状態が、バレット食道および食道癌からなる群より選択される、請求項１７に記載の使用。
【請求項１９】
抗ＥｐｈＢ４抗体は、配列ＰＶＡＧＳＣＶＶＤＡＶＰＡＰＧＰＳＰＳＬＹ（配列番号：４）を有するペプチドに対して生成されたものである、請求項１６または１７に記載の使用。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
光感受性イオンチャネル遺伝子またはその活性フラグメントを有効成分として含む、盲目の処置または軽減用薬剤。
【請求項２】
光感受性イオンチャネル遺伝子がロドプシン遺伝子である、請求項１に記載の薬剤。
【請求項３】
ロドプシン遺伝子がチャネルロドプシン−２(ＣｈＲ２)である、請求項２に記載の薬剤。
【請求項４】
光感受性イオンチャネル遺伝子を、ＯＮ−双極性細胞、ＯＮ−ガングリオン、またはＡＩＩアマクリン細胞の少なくとも１つに投与し、発現させる、請求項１〜３のいずれかに記載の薬剤。
【請求項５】
光感受性イオンチャネル遺伝子をＡＩＩアマクリン細胞に投与し、発現させる、請求項４に記載の薬剤。
【請求項６】
該光感受性イオンチャネル遺伝子を細胞特異的プロモーターの方法により制御する、請求項１〜５のいずれかに記載の薬剤。
【請求項７】
光感受性イオンチャネル遺伝子を、ｍＧｌｕＲ６プロモーターまたはその機能性フラグメントもしくは誘導体により制御する、請求項６に記載の薬剤。
【請求項８】
ｍＧｌｕＲ６プロモーターの制御下にチャネルロドプシン−２(ＣｈＲ２)を含む；盲目の処置用医薬の製造において有用な構築物。
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
関節軟骨欠損または半月板欠損における欠損部の軟骨組織を再生させることにより、関節軟骨欠損または半月板欠損に関連する疾患を治療するための、滑膜由来間葉幹細胞を含む医薬組成物。
【請求項２】
滑膜由来間葉幹細胞が自己由来である、請求項1記載の医薬組成物。
【請求項３】
滑膜由来間葉幹細胞が未分化細胞である、請求項1または2に記載の医薬組成物。
【請求項４】
滑膜由来間葉幹細胞が自己血清を含有する培地中で培養されるものである、請求項1から3のいずれか1つに記載の医薬組成物。
【請求項５】
滑膜由来間葉幹細胞が初代培養細胞または第一継代細胞である、請求項1から4のいずれか1つに記載の医薬組成物。
【請求項６】
再生される軟骨組織が硝子軟骨または繊維軟骨である、請求項1から5のいずれか1つに記載の医薬組成物。
【請求項７】
欠損部に移植（注入）するためのものである、請求項1から6のいずれか1つに記載の医薬組成物。
【請求項８】
再生される軟骨組織が肥大軟骨細胞も骨細胞も含有しないものである、請求項1から7のいずれか1つに記載の医薬組成物。
【請求項９】
自己血清を含有する培地が分化培地ではない、請求項4に記載の医薬組成物。
【請求項１０】
自己血清を含有する培地が骨形成因子（BMP）、デキサメタゾンあるいはトランスフォーミング増殖因子β（TGF-β）のいずれをも含有しない培地である、請求項8に記載の医薬組成物。
【請求項１１】
懸濁液の形態である、請求項7に記載の医薬組成物。
【請求項１２】
ゲル状の形態である、請求項7に記載の医薬組成物。
【請求項１３】
ゲル状である前記医薬組成物がゼラチンまたはコラーゲンのゲルを含むものである、請求項12に記載の医薬組成物。
【請求項１４】
細胞シート状である、請求項7に記載の医薬組成物。
【請求項１５】
関節軟骨欠損又は半月板欠損に関連する疾患が、外傷性軟骨損傷、離弾性骨軟骨症、無腐性骨壊死、変形性膝関節症、および半月板損傷からなる群より選択されるものである、請求項1から14のいずれか1つに記載の医薬組成物。
【請求項１６】
関節軟骨欠損または半月板欠損における欠損部の軟骨組織を再生させることにより、軟骨欠損または半月板欠損に関連する疾患を治療するための、滑膜由来間葉幹細胞を含む医薬組成物の製造方法であって、該欠損部を有する動物から採取された滑膜より生体外にて間葉幹細胞を単離（採取）する工程と、該間葉幹細胞を培養する工程と、培養増殖した幹細胞を回収して医薬組成物とする工程、を含む製造方法。
【請求項１７】
滑膜由来間葉幹細胞が自己由来である、請求項16に記載の製造方法。
【請求項１８】
培養した間葉幹細胞が未分化細胞である、請求項16または17に記載の製造方法。
【請求項１９】
培養する工程が自己血清を含有する培地中で行なうものである、請求項16から18のいずれか1つに記載の製造方法。
【請求項２０】
培養増殖した幹細胞が初代培養細胞または第一継代細胞である、請求項16から19のいずれか1つに記載の製造方法。
【請求項２１】
再生させる軟骨組織が硝子軟骨または繊維軟骨である、請求項16から20のいずれか1つに記載の製造方法。
【請求項２２】
再生させる軟骨組織が肥大軟骨細胞も骨細胞も含有しないものである、請求項16から21のいずれか1つに記載の製造方法。
【請求項２３】
培養増殖した幹細胞を回収して医薬組成物とする工程において、医薬組成物を懸濁液、シート状、またはゲル状とするものである、請求項16から22のいずれか1つに記載の製造方法。
【請求項２４】
自己血清を含有する培地が分化培地ではない培地である、請求項19に記載の製造方法。
【請求項２５】
自己血清を含有する培地がTGF-β3、デキサメタゾン、BMP-2のいずれも含有しない培地である、請求項24に記載の製造方法。
【請求項２６】
ゲル状である医薬組成物がゼラチンまたはコラーゲンのゲルを含むものである、請求項25に記載の製造方法。
【請求項２７】
関節軟骨欠損又は半月板欠損に関連する疾患が、外傷性軟骨損傷、離弾性骨軟骨症、無腐性骨壊死、変形性膝関節症、および半月板損傷からなる群より選択されるものである、請求項16から26のいずれか1つに記載の製造方法。
【請求項２８】
ヒトの軟骨欠損部または半月板欠損部を覆うように用いられることを特徴とする、ex vivoで培養した自家滑膜由来間葉幹細胞を移植用媒体中に含有する軟骨欠損または半月板欠損治療用移植材料。
【請求項２９】
上方に保持された関節軟骨欠損部の表面を、ex vivoで培養した自家滑膜由来間葉幹細胞を含む移植材料で覆い、少なくとも10分間、滑膜由来間葉幹細胞を含む移植材料が軟骨欠損部の表面に接着するように用いられることを特徴とする、請求項28に記載の移植材料。
【請求項３０】
下方（下向き）に保持された半月板欠損部を、ex vivoで培養した自家滑膜由来間葉幹細胞を含む移植材料で覆い、少なくとも10分間、滑膜由来間葉幹細胞を含む移植材料が半月板欠損部に接着するように用いられることを特徴とする、請求項28に記載の移植材料。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
第一の形態から該第一の形態より大きな第二の形態に拡張するとともに、管腔を形成し且つ第一の拡張可能なリングと第二の拡張可能なリングとを有するフレームと、
前記第二の形態となっている間に前記フレームを固定するために該フレームから延びるアンカー部材と、
前記管腔の少なくとも一部を閉塞するプラグ部分を形成するために前記第一の拡張可能なリングと前記第二の拡張可能なリングとの間に延びる複数の繊維と、
を備える装置。
【請求項２】
前記複数の繊維は織られている、請求項１に記載の装置。
【請求項３】
前記複数の繊維は織られていない、請求項１に記載の装置。
【請求項４】
前記複数の繊維が、前記プラグ部分を提供するように撚り合わせ可能である、請求項１から３の何れか１項に記載の装置。
【請求項５】
前記複数の繊維が、前記プラグ部分を提供するために崩壊可能である、請求項１から４の何れか１項に記載の装置。
【請求項６】
前記第一の拡張可能なリングと前記第二の拡張可能なリングとは、前記第一の拡張可能なリングと前記第二の拡張可能なリングとが自己拡張性を有することを可能にする材料から形成される、請求項１から５の何れか１項に記載の装置。
【請求項７】
内部バルーンカテーテルと外部バルーンカテーテルとをさらに含み、
前記内部バルーンカテーテルは、同内部バルーンカテーテルの遠位端において内部バルーンカテーテルに隣接して配置された第一の拡張可能なバルーンに液密的に接続された膨張管腔を備え、
前記外部バルーンカテーテルは、同外部バルーンカテーテルの遠位端において外部バルーンカテーテルに隣接して配置された第二の拡張可能なバルーンに液密的に接続された膨張管腔を備え、該外部バルーンカテーテルは、前記内部バルーンカテーテルが配置可能な管腔を有し、前記外部バルーンカテーテルと前記内部バルーンカテーテルとは、互いに対
して長手方向及び径方向に移動可能なように構成され、
前記フレームは、前記第一の拡張可能なバルーンが膨張するのに伴い同第一の拡張可能なバルーンが前記第一の拡張可能なリングを拡張することを可能とするように、前記第一の拡張可能なバルーンと前記第二の拡張可能なバルーンとの上に配置され、
前記第二の拡張可能なリングをねじるように前記外部バルーンカテーテルにトルクを付与することによって、前記複数の繊維をコイル状に撚って、前記プラグ部分を形成し、前記第二の拡張可能なバルーンが膨張するのに伴い前記第二の拡張可能なリングを前記第一の形態から前記第二の形態に拡張する、請求項１から６の何れか１項に記載の装置。
【請求項８】
外部チューブ状本体と第一の内部チューブ状本体と内側チューブ状本体をさらに含み、
前記外部チューブ状本体と前記第一の内部チューブ状本体と前記内側チューブ状本体とは、互いに対して長手方向に移動する及び／又は互いに対して回転するように構成され、
前記フレームの前記第一の拡張可能なリングは、前記外部チューブ状本体の内部で圧縮され、前記第二の拡張可能なリングは、前記第一の内部チューブ状本体の内部で圧縮され、
前記第一の内部チューブ状本体が前記第一の拡張可能なリングに当接する場合には、前記内側チューブ状本体が前記第二の拡張可能なリングに当接する一方、
前記第一の拡張可能なリングが前記第二の形態に拡張することを可能とするように前記外部チューブ状本体が前記第一の拡張可能なリングから取り除かれる場合、前記複数の繊維でプラグ部分を形成するように前記第一の内部チューブ状本体をねじることにより、トルクが前記第二の拡張可能なリングに付与可能であるとともに、前記第一の内部チューブ状本体と前記外部チューブ状本体とが、前記第二の拡張可能なリングを解放して前記第二の形態に拡張させるように収縮可能である、請求項１から７の何れか１項に記載の装置。
【請求項９】
前記プラグ部分が、前記フレームの内側の周囲に連結されたフィルタである、請求項１から８の何れか１項に記載の装置。
【請求項１０】
前記フレームが第一端部と第二端部と中央部とを含み、
前記第二の形態における前記第一端部と前記第二端部とが、第二の形態における前記中央部より大きな周囲を有する、請求項１から９の何れか１項に記載の装置。
【請求項１１】
前記プラグ部分が、架橋可能なポリマーからなり、前記フレームの内部に配置される、請求項１から１０の何れか１項に記載の装置。
【請求項１２】
送達システムを提供するための送達カテーテルをさらに含む、請求項１から１１の何れか１項に記載の装置。
【請求項１３】
前記装置が、前記フレームから延びる前記アンカー部材を含む第一の要素と前記プラグ部分を含む第二の要素とから形成され、
前記第一の要素が第二の要素と連結されている、請求項１から１２の何れか１項に記載の装置。
【請求項１４】
第一の形態から該第一の形態より大きな第二の形態に拡張可能であるとともに、管腔を形成し且つ第一の拡張可能なリングと第二の拡張可能なリングとを有するフレームを形成するステップと、
前記フレームから延びるアンカー部材を形成するステップと、
前記第一及び第二の拡張可能なリングの間に延びる複数の繊維から、前記フレームの前記管腔内に、管腔の少なくとも一部を閉塞可能なプラグ部分を提供するステップと、
を備える方法。
【請求項１５】
前記プラグ部分を提供するステップが、前記プラグ部分を形成するために前記複数の繊維を撚り合わせるステップをさらに含む、請求項１４に記載の方法。
【請求項１６】
前記プラグ部分を提供するステップが、前記プラグ部分を形成するために前記複数の繊維を崩壊させるステップをさらに含む、請求項１４から１５の何れか１項に記載の方法。
【請求項１７】
前記プラグ部分を提供するステップが、前記プラグ部分を形成するために前記フレームの内側の周囲にフィルタを連結するステップをさらに含む、請求項１４から１６の何れか１項に記載の方法。
【請求項１８】
前記プラグ部分を提供するステップが、前記プラグ部分を形成するために架橋可能なポリマーを前記フレーム内へ注入するステップを含む、請求項１４から１７の何れか１項に記載の方法。
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
医療措置中に針を位置決めするキットであって、
コネクタ、及び、前記コネクタに設けられている第１の密封部分を含んでいる無菌針ガイドと、
超音波プローブに取付け可能な内側、前記内側への開口であり、前記コネクタを受け入れるように構成されている、前記開口、及び、前記開口に設けられている第２の密封部分を有する無菌外郭部と、
を備えており、
前記第１の密封部分及び前記第２の密封部分が協働して、前記コネクタが前記開口に受け入れられているときに、前記無菌外郭部と前記針ガイドとの間に無菌バリアを形成する、キット。
【請求項２】
前記第１の密封部分がＯリングであり、前記第２の密封部分が、前記開口内に形成されている円筒面である、請求項１に記載のキット。
【請求項３】
前記コネクタが前記開口に受け入れられているとき、前記コネクタが前記開口を中心に回転可能である、請求項１に記載のキット。
【請求項４】
前記コネクタが前記開口に受け入れられている場合、前記針ガイドが、前記針ガイドに指の圧力が印加されているときに、前記針ガイド内に針を保持し、且つ、前記針ガイドを前記開口を中心に回転させるように構成されている、請求項１に記載のキット。
【請求項５】
横タイプの超音波ガイドシステムとともに使用するように構成されている、請求項１に記載のキット。
【請求項６】
請求項１に記載の前記キットと組み合わされる超音波ガイドシステムであって、
軸を含んでいる超音波プローブが、前記軸が前記開口と整列するように、前記外郭部に取り付けられており、前記コネクタが前記開口に受け入れられて前記軸に結合されており、前記第１の密封部分及び前記第２の密封部分が、前記針ガイドと前記外郭部との間に無菌バリアを形成している、超音波ガイドシステム。
【請求項７】
無菌外郭部と、
無菌シートと
を備え
前記無菌外郭部が、
該無菌外郭部に受け入れられているプローブから超音波信号を送信するようにされている窓と、
前記窓を囲んでいる壁であり、前記プローブを該無菌外郭部内に受け入れる開口を形成している、前記壁と、
を含んでおり、
前記無菌シートが、前記無菌外郭部の開口に密封されている縁部を有し、前記プローブを覆うように構成されている、無菌カバー。
【請求項８】
前記無菌外郭部が、針クリップを該無菌外郭部に取り付ける部材を含んでいる、請求項７に記載の無菌カバー。
【請求項９】
前記無菌外郭部が、前記針クリップのコネクタ部分を受け入れるように構成されている第２の開口を含んでいる、請求項８に記載の無菌カバー。
【請求項１０】
前記コネクタ部分が、前記針クリップを前記プローブに取り付けるように構成されている固定部分を含んでいる、請求項９に記載の無菌カバー。
【請求項１１】
針クリップと、外郭部とを備える針ガイドであって、
前記針クリップが、
針軸を受け入れるように構成されている受け台を形成しているホルダーと、
前記受け台に隣接する第１の位置と、前記受け台を覆う第２の位置との間で可動であるカバーと、
前記針ホルダーに結合されている第１の端部と、前記カバーに結合されている第２の端部とを有する可撓性部材と
を含んでおり、前記カバーが前記第２の位置にあるとき、前記カバー及び前記受け台が、前記針軸を前記受け台に保持するようにされている閉空間を形成し、前記可撓性部材が弾性変形し、前記カバーが前記ホルダーとの機械的な係合を有しておらず、
前記外郭部が、超音波プローブに結合されるように構成されており、前記針ガイドを該外郭部において受け入れる部材を含んでいる、針ガイド。
【請求項１２】
前記カバーが、前記第２の側に配置されている指レストによって前記可撓性部材に結合されている、請求項１１に記載の針ガイド。
【請求項１３】
前記部材が開口を有し、前記針ガイドが、前記開口に受け入れ可能である、請求項１１に記載の針ガイド。
【請求項１４】
針ホルダーと、外郭部とを更に備え、
前記針ホルダーが、
針軸を受け入れるように構成されている受け台と、前記受け台の上方、且つ前記受け台の第１の側に配置されている突起部とを含んでいる面と、
端部を有するカバーと
を形成しており、前記カバーが、前記受け台の第２の側に位置している第１の位置と、第２の位置との間で可動であり、前記カバーが前記第２の位置にあるとき、前記カバーが前記受け台を覆っており、前記端部が前記表面と前記突起部との間にあり、前記カバー及び前記受け台が、前記針軸を前記受け台に保持するように構成されている閉空間を形成しており、前記カバーが、前記ホルダーとの機械的な係合を有しておらず、
前記外郭部が、超音波プローブに結合されるように構成されており、前記針ガイドを前記外郭部において受け入れる部材を含んでいることを特徴とする、請求項１１に記載の針ガイド。
【請求項１５】
針を身体に挿入する方法であって、
超音波プローブに針ガイドを取り付けるステップと、
前記針ガイドに指の圧力を付与する圧力付与ステップであり、付与される指の前記圧力が、針軸を前記ガイド内に保持する閉空間を形成する、前記圧力付与ステップと、
前記身体における針の挿入位置を特定する特定ステップと、
前記針軸を前記閉空間に挿入するステップと、
前記針軸を前記身体内に挿入するステップと、
前記針が前記身体内に挿入された後、前記針ガイドを前記針軸から取り外すことができるように、付与されている指の前記圧力を取り除くステップと、
を含んでいる、方法。
【請求項１６】
前記特定ステップが、前記針ガイドを前記プローブを中心に回転させるステップを含んでいる、請求項１５に記載の方法。
【請求項１７】
前記針が、超音波画像面を横切る平面内において位置決め可能である、請求項１６に記載の方法。
【請求項１８】
前記圧力付与ステップによって、前記閉空間を形成するときにカバーが受け台の上方に配置される、請求項１５に記載の方法。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
複数の光源が、作業中の医療手術室または検査室内にあり、前記光源は、種々の色を有する光を生成し、前記光源は、少なくとも１つのプロセッサにより制御され、前記プロセッサは、前記光源が種々の色の光を生成するように制御する、医療手術室または検査室を照明する照明方法において、最初に少なくとも前記プロセッサにより以下の前処理ステップが実行されることを特徴とする方法であって、それぞれ割り当てられた特定の色を有する光で区域を照らすために、
ａ）手術室または検査室における手術または検査のための種々のタスクを決定するステップと、
ｂ）それぞれの前記タスクに必要な要員を決定するステップと、
ｃ）前記特定のタスクを果たす前記要員が所望する特定の色の効果を決定するステップと、
ｄ）前記部屋のどの部分を、決定された前記種々のタスクに使用するか解析するステップと、
ｅ）特定の前記タスクおよび前記要員により決まる複数の区域に前記部屋を分割するステップと、
ｆ）特定の色をそれぞれの前記区域に割り当てて、前記所望の効果を実現するステップと、
を有することを特徴とする照明方法。
【請求項２】
複数の光源を有し、光源は、種々の色を有する光を生成し、光源は、少なくとも１つのプロセッサと接続し、プロセッサは、前記光源が種々の色の光を生成するように制御し、前記プロセッサが、最初に少なくとも以下のステップにより実行するようにプログラムされていることを特徴とする医療手術室または検査室であって、それぞれ割り当てられた特定の色を有する光で区域を照らすために、
ａ）手術室または検査室における活動ための実際のタスクを決定するステップと、
ｂ）これらのタスクのそれぞれに必要な要員を決定するステップと、
ｃ）前記特定のタスクを果たす前記要員が所望する特定の色の効果を決定するステップと、
ｄ）部屋のどの部分を、決定された前記種々のタスクに使用するか解析するステップと、
ｅ）特定の前記タスクおよび前記要員により決まる複数の区域に前記部屋を分割するステップと、
ｆ）特定の色をそれぞれの前記区域に割り当てて、所望の前記効果を実現するステップと、
を有することを特徴とする医療手術室または検査室。
【請求項３】
コンピュータ化された光制御システムを備え、該光制御システムは、複数のアイコンを有するユーザインタフェイスを表示するタッチスクリーンモニタに接続され、前記アイコンは、前記アイコン上の１回の押圧動作に応じて、前記照明用のプリプログラムされた設定を開始するようにプログラムされていることを特徴とする請求項２に記載の医療手術室または検査室。
【請求項４】
コンピュータ化された光制御システムを備え、該光制御システムは、所定の基準に従って前記色の温度を変更するようにプログラムされることを特徴とする請求項２または３に記載の医療手術室または検査室。
【請求項５】
コンピュータ化された光制御システムを備え、それぞれの照明器具が前記照明器具内部で光を混合することにより広範囲の種々の色を光に与えることができることを特徴とする請求項３に記載の医療手術室または検査室。
【請求項６】
コンピュータ化された光制御システムを備え、該光制御システムは、手術中に執刀医が使用する前記モニタの後方に緑色の光を提供するようにプログラムされることを特徴とする請求項５に記載の医療手術室または検査室。
【請求項７】
コンピュータ化された光制御システムを備え、該光制御システムは、手術中または検査中に執刀医の後方の区域に赤色の光を提供するようにプログラムされることを特徴とする請求項５に記載の医療手術室または検査室。
【請求項８】
前記プリプログラムされた設定は、手術や検査をする間に内視鏡カメラからの一連の映像を表示するように構成されるモニタの所定の位置により決められることを特徴とする請求項３に記載の医療手術室または検査室。
【請求項９】
特定の色をそれぞれの前記区域に割り当てる前記ステップは、前記選択した色に特定の色温度を割り当てることも含むことを特徴とする請求項１に記載の照明方法。
【請求項１０】
効果は、心理学的なものであり作業環境に関することであることを特徴とする請求項１または９に記載の照明方法。
【請求項１１】
部屋の実質的部分または部屋全体は、白色と異なるカラー照明に照らされることを特徴とする請求項２〜８のいずれか１項に記載の医療手術室または検査室。